【手続補正書】
【提出日】令和2年7月8日(2020.7.8)
【手続補正１】
【補正対象書類名】明細書
【補正対象項目名】００１５
【補正方法】変更
【補正の内容】
【００１５】
カメラマイコン１０１は、例えばＣＰＵ、ＲＯＭ、ＲＡＭ、入出力制御回路（Ｉ／Ｏコントロール回路）、マルチプレクサ、タイマー回路、ＥＥＰＲＯＭ、Ａ／Ｄコンバータ、Ｄ／Ａコンバータを含み、単体のマイコン内蔵型ＩＣチップとして構成される。
【手続補正２】
【補正対象書類名】明細書
【補正対象項目名】００１８
【補正方法】変更
【補正の内容】
【００１８】
主ミラー（ハーフミラー）１０４は、撮影準備動作時にレンズ群２０２から入射する光線を反射しピント板１０５に結像させる。
【手続補正３】
【補正対象書類名】明細書
【補正対象項目名】００４４
【補正方法】変更
【補正の内容】
【００４４】
無線通信部３０８は、カメラ本体１００と無線通信を行う。無線通信部３０８は、無線モジュールやストロボマイコン３０１に搭載されている機能などが想定されるが、本実施形態では無線モジュールとする。ストロボ側無線モジュール３０８は、無線通信用のアンテナを備え、ＩＥＥＥ８０２．１５の規格（Ｂｌｕｅｔｏｏｔｈ（登録商標））に従った近距離無線通信を実現する。ストロボ側無線モジュール３０８は所定の時間ごとにカメラ本体１００と無線通信を行い、空データまたは空でないデータを受信したタイミングをストロボマイコン３０１に通知する。
【手続補正４】
【補正対象書類名】明細書
【補正対象項目名】００８９
【補正方法】変更
【補正の内容】
【００８９】
Ｓ３０８では、カメラマイコン１０１はカメラ側無線モジュール１１１から通信通知を受信するごとにタイマーをリセットおよびスタートさせる。
【手続補正５】
【補正対象書類名】明細書
【補正対象項目名】００９４
【補正方法】変更
【補正の内容】
【００９４】
なお、Ｓ３０１で第２信号ＳＷ２がオンされた後にカメラ１０の測光およびストロボ３００のプリ発光を行う場合でも、カメラ１０の露光およびストロボ３００の発光と同様に、カメラ１０の測光とストロボ３００のプリ発光を同調させることができる。
【手続補正６】
【補正対象書類名】明細書
【補正対象項目名】０１１３
【補正方法】変更
【補正の内容】
【０１１３】
トランスミッター４００は、マイクロコンピュータ（以下、トランスミッターマイコン）４０１が、ファームウェアなどの制御プログラムを実行することでトランスミッター４００の各部の動作を制御する。
【手続補正７】
【補正対象書類名】明細書
【補正対象項目名】０１１５
【補正方法】変更
【補正の内容】
【０１１５】
無線通信部４０２は、ストロボ３００と無線通信を行う。無線通信部４０２は、トランスミッター４００に搭載されている機能などが想定されるが、本実施形態では無線モジュールとする。トランスミッター側無線モジュール４０２は、無線通信用のアンテナを備え、ＩＥＥＥ８０２．１５の規格（Ｂｌｕｅｔｏｏｔｈ（登録商標））に従った近距離無線通信を実現する。トランスミッター側無線モジュール４０２は所定の時間ごとにストロボ３００と無線通信を行い、空データまたは空でないデータを受信したタイミングをトランスミッターマイコン４０１に通知する。
【手続補正８】
【補正対象書類名】明細書
【補正対象項目名】０１２２
【補正方法】変更
【補正の内容】
【０１２２】
［実施形態６］以下、実施形態６のストロボ同調撮影システムについて説明する。
【手続補正９】
【補正対象書類名】明細書
【補正対象項目名】０１４９
【補正方法】変更
【補正の内容】
【０１４９】
なお、Ｓ６２０の後、最初の通信がストロボ３００Ｂ、３００Ｃの場合については後述する。
【手続補正１０】
【補正対象書類名】明細書
【補正対象項目名】０１５１
【補正方法】変更
【補正の内容】
【０１５１】
Ｓ６２５では、カメラマイコン１０１はｔ３ａ確定後、ｔ３ａからＳ６１４で算出したｔａｂを減算することで、ストロボ３００Ｂの発光までの時間ｔ３ｂを求める。同様に、Ｓ６２６では、カメラマイコン１０１は、ｔ３ｂからＳ６１７で算出したｔｂｃを減算することで、ストロボ３００Ｃの発光までの時間ｔ３ｃを求める。
【手続補正１１】
【補正対象書類名】明細書
【補正対象項目名】０１６２
【補正方法】変更
【補正の内容】
【０１６２】
このようにして撮影シーケンスが終了すると、カメラ１０とストロボ３００Ａ〜３００Ｃは第１信号ＳＷ１を待つ撮影スタンバイ状態に戻る。
【手続補正１２】
【補正対象書類名】明細書
【補正対象項目名】０１８７
【補正方法】変更
【補正の内容】
【０１８７】
Ｓ６４５では、カメラマイコン１０１はｔ３ｃからｔｃａを減算することで、ストロボ３００Ｂへ送信する発光までの時間ｔ３ａを求める。同様に、Ｓ６４６では、カメラマイコン１０１はｔ３ａからｔａｂを減算することで、ストロボ３００Ｂへ送信する発光までの時間ｔ３ｂを求める。
【手続補正１３】
【補正対象書類名】明細書
【補正対象項目名】０２０４
【補正方法】変更
【補正の内容】
【０２０４】
なお、カメラ１０とストロボ３００Ａ〜３００Ｃの構成は、実施形態１の図２と同様である。また、カメラ側無線モジュール１１１とストロボ側無線モジュール３０８の無線通信方式およびカメラ本体１００の第２信号ＳＷ２がオンになるまでの動作は実施形態１と同様である。
【手続補正１４】
【補正対象書類名】明細書
【補正対象項目名】０２２６
【補正方法】変更
【補正の内容】
【０２２６】
なお、カメラ１０とストロボ３００Ａ〜３００Ｃの構成は、実施形態１の図２と同様である。また、カメラ側無線モジュール１１１とストロボ側無線モジュール３０８の無線通信方式およびカメラ本体１００の第２信号ＳＷ２がオンになるまでの動作（Ｓ８００）は実施形態１と同様である。
【手続補正１５】
【補正対象書類名】明細書
【補正対象項目名】０２３３
【補正方法】変更
【補正の内容】
【０２３３】
このように、カメラマイコン１０１はカメラ側無線モジュール１１１から通信するタイミングを取得し、複数のストロボ３００Ａ〜３００Ｃとの通信間隔（Ｓ８０９、Ｓ８１３、Ｓ８１５）を算出する。これにより、カメラマイコン１０１は露光までの残り時間ｔ０における複数のストロボ３００Ａ〜３００Ｃとの無線通信のタイミングを把握できる。よって、複数のストロボ３００Ａ〜３００Ｃへの通信順序を求めると共に、ストロボごとに発光までの時間を算出することができる（Ｓ８２１〜Ｓ８２３）。その結果、カメラ１０およびストロボ３００Ａ〜３００Ｃが非同期に無線通信を行う場合であっても、カメラ１０の露光タイミングとストロボ３００Ａ〜３００Ｃの発光タイミングを同調できる。
【手続補正１６】
【補正対象書類名】明細書
【補正対象項目名】０２３４
【補正方法】変更
【補正の内容】
【０２３４】
なお、Ｓ８０１で第２信号ＳＷ２がオンされた後にカメラ１０の測光およびストロボ３００Ａ〜３００Ｃの調光用のプリ発光を行う場合でも、カメラ１０の露光およびストロボ３００Ａ〜３００Ｃの発光と同様に、カメラ１０の測光とストロボ３００Ａ〜３００Ｃのプリ発光を同調させることができる。
【手続補正１７】
【補正対象書類名】明細書
【補正対象項目名】０２５４
【補正方法】変更
【補正の内容】
【０２５４】
なお、Ｓ９０１で第２信号ＳＷ２がオンされた後にカメラ１０の測光およびストロボ３００Ａ〜３００Ｃの調光用のプリ発光を行う場合でも、カメラ１０の露光およびストロボ３００Ａ〜３００Ｃの発光と同様に、カメラ１０の測光とストロボ３００Ａ〜３００Ｃのプリ発光を同調させることができる。
【手続補正１８】
【補正対象書類名】明細書
【補正対象項目名】０２５７
【補正方法】変更
【補正の内容】
【０２５７】
なお、実施形態１０のカメラ１０およびストロボ３００Ａ〜３００Ｃの構成、カメラ側無線モジュール１１１とストロボ側無線モジュール３０８の無線通信方式およびカメラ本体１００の第２信号ＳＷ２がオンになるまでの動作は実施形態６と同様である。また、トランスミッター４００の構成も、実施形態５の構成と同様である。
【手続補正１９】
【補正対象書類名】図面
【補正対象項目名】図１４
【補正方法】変更
【補正の内容】
【図１４】
2019028344.tif 000001